(57)【要約】      （修正有）【課題】  所望のシーンの頭だし再生を容易に可能とする放送記憶再生装置を提供する。【解決手段】  字幕一覧表示要求がある場合、システム制御部１０３は、字幕記録テーブルを記録部１０６から読み出し、ユーザーに字幕一覧を表示する。字幕一覧を表示している状態で、ユーザーは字幕検索および単語検索を行うことができる。字幕検索が選択されると、ユーザーは所望の字幕を、字幕一覧表示画面から選択する。字幕記録テーブルから選択された字幕に対する表示時刻を取得し、その表示時刻の頭だし再生を行う。【選択図】  図１
2006245907.tif 000002
【特許請求の範囲】
【請求項１】
字幕情報が含まれるデジタル放送を受信して記録、再生するための放送記録再生装置であって、
前記字幕情報を解析して文字情報として出力する字幕解析部と、
前記字幕情報から字幕の表示時刻情報を抽出する表示時刻情報抽出手段と、
前記字幕情報と前記字幕の表示時刻情報とを関連付けて保存させる手段と、
前記保存手段により保存された前記字幕情報を一覧表示させる手段と、
表示した字幕情報から所望の字幕を選択させる手段と、
前記選択手段により選択された前記字幕情報と関連付けられて保存された前記表示時刻情報に対応した前記記憶映像を再生させる手段と、
を備えたことを特徴とする放送記録再生装置。
【請求項２】
前記保存された字幕文情報から単語を検索する手段と、検索された前記単語にマークをつける手段と、を備えたことを特徴とする請求項１に記載の放送記録再生装置。
【請求項３】
前記字幕情報の一覧表示上で、カーソルを任意の字幕へ移動した際、該字幕の表示時刻情報に対応した前記記憶映像を静止画として表示させる手段を備えることを特徴とする請求項１又は請求項２に記載の放送記録再生装置。
【発明の詳細な説明】
【技術分野】
【０００１】
本発明は、字幕放送を記録再生する放送記録再生装置に関し、特に、容易に所望のシーンを検索できる放送記録再生装置に関する。
【背景技術】
【０００２】
放送記録再生装置では、番組を再生した際、所望のシーンを頭だしして視聴したいと考えるユーザーが多い。
【０００３】
従来の放送記録再生装置では、番組単位の頭だしは可能であるが、所望のシーンは早送り再生によって検索する必要がある。
【０００４】
また、一定間隔ごとの映像を静止画として表示して、ユーザーが映像の開始点を選択できる装置も開発されている。
【０００５】
特許文献１（「特開２００３−２３６０７号公報」）によれば、現在のシーンから遡って過去数シーンの字幕と字幕の開始点を記憶しておき、所望の字幕の開始点まで戻って通常再生を再開させる技術が開示されている。
【特許文献１】特開２００３−２３６０７号公報
【発明の開示】
【発明が解決しようとする課題】
【０００６】
しかしながら、従来の放送記録再生装置では、早送り再生によって、番組の開始から低速な早送りによって番組内容を確認していく必要があり、無駄な時間がかかるという問題点がある。
【０００７】
また、一定時間ごとに映像を静止画として表示する機能についても、静止画だけでは、所望のシーンであるか否かを確認することが困難であるという問題点がある。
【０００８】
また、特許文献１に開示されている発明では、過去の字幕に戻ることは可能であるが、任意のシーンを検索するという手段を備えていない。
【０００９】
本発明は、そのような状況に鑑みてなされたもので、字幕を利用してシーンを検索することで、確実に所望のシーンの頭だしを可能にするものである。さらに、シーン検索を容易にするために、字幕文データの単語検索の機能も備える放送記録再生装置を提供することを目的としている。
【課題を解決するための手段】
【００１０】
本発明は、こうした課題を解決するため、以下に記載する技術構成を採用し、以下の特徴を備えている。
【００１１】
本発明に係る放送記録再生装置は、字幕情報が含まれるデジタル放送を受信して記録、再生するための放送記録再生装置であって、前記字幕情報を解析して文字情報として出力する字幕解析部と、前記字幕情報から字幕の表示時刻情報を抽出する表示時刻情報抽出手段と、前記字幕情報と前記字幕の表示時刻情報とを関連付けて保存させる手段と、前記保存手段により保存された前記字幕情報を一覧表示させる手段と、表示した字幕情報から所望の字幕を選択させる手段と、前記選択手段により選択された前記字幕情報と関連付けられて保存された前記表示時刻情報に対応した前記記憶映像を再生させる手段と、を備えたことを特徴とする。
【００１２】
また、本発明に係る放送記録再生装置は、保存された字幕文データから所望の単語を検索する手段と、検索された単語にマークをつける手段を備えたことを特徴とする。
【００１３】
また、本発明に係る放送記録再生装置は、字幕文によってシーンを検索中に、カーソルを任意の字幕へ移動した際、その字幕文の表示時刻情報に対応した映像を静止画として表示させる手段を備えることを特徴とする。
【発明の効果】
【００１４】
本発明に係る放送記録再生装置によれば、ユーザーは番組の字幕文一覧を閲覧し、字幕文を見ることによって所望のシーンを確実に検索することが可能になる。
【００１５】
また、本発明に係る放送記録再生装置は、保存された字幕文データから所望の単語を検索することが可能であり、さらに、検索された単語にマークをつけることができるため、所望のシーンをより効率的に検索することが可能となる。
【００１６】
また、番組の字幕文一覧を閲覧した際に、その字幕文の表示時刻情報に対応した映像を静止画として表示することができるため、字幕文によるシーン検索の検索時間を短縮し、所望のシーンをより確実に検索することが可能となる。
【発明を実施するための最良の形態】
【００１７】
本発明に係る放送記録再生装置の一実施形態について、図１から図６を参照して、以下に説明する。
【００１８】
図１は、本発明による放送記録再生装置の実施形態を示すブロック構成図である。
【００１９】
同図に示すように、本実施形態に係る放送記録再生装置１０は、地上波テレビ信号、ＢＳおよびＣＳデジタルテレビ信号を受信するアンテナ部１００と、地上波テレビ信号またはＢＳ、ＣＳデジタルテレビ信号の電波を受信するチューナ復調部１０１と、チューナ復調部の受信チャンネルを制御するチャネル選択部１０２と、チューナ復調部１０１で選局されたデジタル信号から、符号化された映像信号、音声信号、字幕情報を分離する多重信号分離部１０５と、分離された音声信号を元の音声信号に復号する音声復号部１０７と、分離された映像信号を元の映像信号に復号する映像復号部１０８と、備えて構成されている。
【００２０】
また、多重信号分離部１０５で分離された字幕情報から、映像と字幕の表示同期を取るのに必要な字幕表示時刻および字幕文本体を解析する字幕情報解析部１０９と、字幕情報解析部１０９で解析された字幕情報表示時刻を監視し、字幕表示の指示を行う字幕制御部１１０と、映像復号部１０８で復号された映像信号と字幕情報解析部１０９で復号された字幕文を合成・表示するＯＳＤ（オンスクリーンディスプレイ）処理部１１１と、音声復号部１０７で復号された音声の出力端子１１２と、ＯＳＤ処理部１１１で処理された映像信号の出力端子１１３と、を備えて構成されている。
【００２１】
さらに、音声復号部１０７から出力された音声およびＯＳＤ処理部１１１から出力された映像を記録、あるいは記録した音声、映像を出力端子に出力する記録部１０６と、システム全体を制御すると共に、チャンネル選局部１０２には受信チャンネルの指示、記録部１０６に記録された音声・映像の出力の指示、記録・再生の指示などを行うシステム制御部１０３と、リモコンおよびコントロールパネルからの入力を処理する部分であり、システム制御部１０３に信号を送信するリモコン及びコントロールパネル入力処理部１０４とを備えている。
【００２２】
次に、デジタル放送において伝送される上記映像信号、音声信号及び字幕情報のデータ構造について説明する。
【００２３】
図２は、デジタル放送におけるデータストリームの構成を示す図である。
【００２４】
デジタル放送では、伝送方式にＭＰＥＧ−２  ＴＳ（Ｔｒａｎｓｐｏｒｔ  Ｓｔｒｅａｍ）が用いられている。映像信号、音声信号及びデータ放送で用いられている全てのデータはＴＳパケット２０１で伝送される。
【００２５】
特に、映像信号、音声信号、字幕情報は、ＥＳ（Ｅｌｅｍｅｎｔａｒｙ  Ｓｔｒｅａｍ）に符号化圧縮され、字幕ＥＳ２０２、映像ＥＳ２０３、音声ＥＳ２０４となる。これらのＥＳは、それぞれ表示時刻情報（タイムスタンプ）などを示すＰＥＳヘッダ２０５が付加されたＰＥＳ形式でパケット化される。タイムスタンプによって、各パケットの再生同期をとることが可能である。
【００２６】
例えば、リモコンおよびコントロールパネル入力処理部１０４より番組の録画要求があった場合、記録部１０６は、字幕制御部１１０の制御下において、録画した番組の字幕と、各字幕の表示時刻情報を対応付けて記憶する。このとき、録画した番組の字幕と、各字幕の表示時刻情報とは、テーブル形式で記憶される。図３は、記憶部１０６に記憶されるテーブルの一例を示す図である。図３に示すテーブルには、ＰＥＳヘッダから読み出した表示時刻情報３０１、その表示時刻に対応した字幕情報３０２が示されている。
【００２７】
次に、録画した番組を再生中に字幕一覧を表示して、所望の字幕に対応するシーンを頭だし再生するまでの動作を説明する。
【００２８】
図４は、録画した番組を再生中に字幕一覧を表示して、所望の字幕に対応するシーンを頭だし再生するまでの動作を説明するフローチャートである。
【００２９】
システム制御部１０３は、録画した番組を再生中にユーザーからの字幕一覧表示要求を検出する（ステップＳ１）。字幕一覧表示要求がある場合（ステップＳ１；Ｙｅｓ）、システム制御部１０３は、図３に示した字幕記録テーブルを記録部１０６から読み出し、ユーザーに字幕一覧を表示する（ステップＳ２）。字幕一覧を表示している状態で、ユーザーは字幕検索および単語検索を行うことができる。ステップＳ３で字幕検索もしくは単語検索の選択を行う。字幕検索が選択されると、ユーザーは所望の字幕を、後述する図５に示す字幕一覧表示画面から選択する（ステップＳ４）。字幕記録テーブルから選択された字幕に対する表示時刻を取得し、その表示時刻の頭だし再生を行う（ステップＳ５）。ステップＳ３で単語検索が選択された場合、ユーザーは、後述する図６に示す字幕一覧表示画面で所望の単語を選択する（ステップＳ６）。選択された単語を字幕一覧の中から検索し（ステップＳ７）、検索結果をユーザーに表示する（ステップＳ８）。ユーザーによるリモコン１０４の操作によって、単語検索が終了した場合（ステップＳ８）、再び単語検索を行うか、または検索結果を基に字幕検索を行うかを選択情報が制御部１０３に伝達される。
【００３０】
図５は、図４の字幕一覧情報を用いて字幕検索を行った際の画面表示例を示す図である。
【００３１】
図５に示すように再生中の番組の全ての字幕５０１が表示される。
【００３２】
また、画面上に字幕が表示できない場合は、リモコン１０４の十字キーを利用して画面を切り換える。図５では、リモコン１０４のカーソルで次ページ切換アイコン５０２を選択することによって、表示しきれない字幕を確認することができる。
【００３３】
さらに、ユーザーはリモコン操作によって字幕検索アイコン５０４、単語検索アイコン５０５を選択することができる。選択されたアイコンは、背景の色や文字の色（マーク）を変えるなどして、ユーザーが認識できるようにする。字幕検索５０４が選択されたとすると、ユーザーはリモコン１０４の上下キーによって、所望の字幕を選択する。ユーザーによって選択された字幕５０３は、背景の色や文字の色（マーク）を変えることによって、ユーザーが認識できるようにする。
【００３４】
このように、字幕が選択されると、図３の記憶テーブルから表示時刻を読み出し、表示時刻からの再生を開始することができる。
【００３５】
単語検索を選択した場合には、図６（ａ）に示すように、単語検索アイコン５０５がアクティブ状態になる。６０１は、単語検索の際のカーソルであり、リモコン１０４の上下キーによって単語の開始点を選択する。単語の開始点にカーソルを合わせ、リモコン１０４の決定キーなどを押すことによって単語の開始点が決定される。次に単語の終了点にカーソル６０２を移動して決定することによって、単語選択が終了する。選択された単語６０３は、図６（ｂ）に示すように、単語の文字や背景の色などが変わることによって、ユーザーが確認しやすいようにする。実行アイコン６０４が選択されると、字幕一覧中で選択された単語を検索する。検索結果としては、該当する単語の文字の色もしくは背景の色を変える、単語が含まれる字幕を列挙して表示する方法であってもよい。
【００３６】
このように、単語検索結果を利用することによって、字幕検索を効率的に行うことができる。
【００３７】
字幕検索で字幕にカーソルを合わせた時、その字幕の表示時刻の映像を静止画として表示する機能を持たせる。それによって、ユーザーが所望するシーンの検索をより確実なものとする。この静止画を字幕一覧に重ねて表示することや、子画面で表示することなどが考えられる。
【００３８】
尚、本発明は、上記実施形態に限定されるものではなく、本発明の要旨を逸脱しない範囲内において種々変更を加え得ることは勿論である。
【図面の簡単な説明】
【００３９】
【図１】本発明による放送記録再生装置の実施形態を示す機能ブロック図である。
【図２】デジタル放送におけるデータストリームの構成を示す図である。
【図３】番組の録画処理において記憶される字幕情報の記憶テーブルの一例を示す図である。
【図４】録画番組の再生時の字幕検索による頭だし再生処理の一例を示すフロー図である。
【図５】図４の字幕一覧情報を用いて字幕検索を行った際の画面表示例を示す図である。
【図６】図４の字幕一覧情報を用いて単語検索を行った際の画面表示例を示す図である。（ａ）は、単語検索アイコン５０５がアクティブ状態となった画面表示例を示す図である。（ｂ）は、選択された単語の文字や背景の色などが変わることによって、ユーザーが確認しやすいようにする画面表示例を示す図である。
【符号の説明】
【００４０】
１０    放送記録再生装置
１００  放送受信アンテナ
１０１  チューナ復調部
１０２  チャンネル選局部
１０３  システム制御部
１０４  リモコンおよびコントロールパネル入力処理部
１０５  多重信号分離部
１０６  記録部
１０７  音声復号部
１０８  映像復号部
１０９  字幕解析部
１１０  字幕制御部
１１１  ＯＳＤ処理部
１１２  音声出力端子
１１３  映像出力端子
２０１  トランスポートストリーム
２０２  字幕ＥＳ
２０３  映像ＥＳ
２０４  音声ＥＳ
２０５  ＰＥＳヘッダ
３０１  表示時刻情報
３０２  字幕
５０１  字幕
５０２  次ページ切換アイコン
５０３  選択された字幕
５０４  字幕検索
５０５  単語検索
６０１、６０２  単語検索の際のカーソル
６０３  選択された単語
６０４  実行アイコン
【図１】
2006245907.tif 000003
【図２】
2006245907.tif 000004
【図３】
2006245907.tif 000005
【図４】
2006245907.tif 000006
【図５】
2006245907.tif 000007
【図６】
2006245907.tif 000008